(57)【要約】【課題】ボトルの内圧が極めて高い場合でも、ボトルの極めて良好な密閉を保証し、且つ炭酸が抜けるのを回避する。【解決手段】軽金属からなるボトル本体２と外ネジ４を備えたネック３とを有するボトル１であって、その場合にボトル１が、ボトル１の開口部を閉鎖するカバー６とカバー６に連続し、且つネック３の外ネジ４と対応するネジ８を有するジャケット面７とを備えたスリーブ形状の閉鎖キャップ５を有しており、ボトル１のネック３の端縁９が、ボトル１の開口部の回りを一周する隆起部を形成する、ネック３の折り返された部分１０によって形成されており、その場合に折り返された部分１０の自由端部がボトル１の外側面又は内側面の方向を向いており、且つ折り返された部分１０が端縁９のカバーを向いた頂部１１の領域内で湾曲して形成されており、且つボトル１の端縁９が略Ｏ字形状の横断面を有している。【選択図】図１
2016196331.tif 000002
【特許請求の範囲】
【請求項１】
軽金属からなるボトル本体（２）と外ネジ（４）を備えたネック（３）とを有するボトル（１）であって、該ボトル（１）が、該ボトル（１）の開口部を閉鎖するカバー（６）と該カバー（６）に連続し且つ当該ボトルが閉鎖された状態において前記ネック（３）の前記外ネジ（４）と対応するネジ（８）を有するジャケット面（７）とを備えたスリーブ形状の閉鎖キャップ（５）を具備するボトルにおいて、
当該ボトル（１）の前記ネック（３）の端縁（９）が、前記ボトル本体（２）の開口部を一周する隆起部を形成する、前記ネック（３）の折り返された部分（１０）によって形成されており、前記折り返された部分（１０）の自由端部が当該ボトル（１）の外側面又は内側面を向いており、前記折り返された部分（１０）が前記端縁（９）の前記カバー（６）を向いた頂部（１１）の領域内で湾曲して形成されており、当該ボトル（１）の前記端縁（９）が略Ｏ字形状の横断面を有していることを特徴とするボトル。
【請求項２】
前記閉鎖キャップ（５）が軽金属から形成されたベース本体（１２）を有していることを特徴とする請求項１に記載のボトル。
【請求項３】
前記ボトル本体（２）及び／又は前記閉鎖キャップ（５）の前記ベース本体（１２）が、アルミニウム又はアルミニウム合金から形成されていることを特徴とする請求項２に記載のボトル。
【請求項４】
前記閉鎖キャップ（５）の前記ジャケット面（７）の内側が塗料で塗装されており、該塗料とアルミニウムとの間の静止摩擦係数が、アルミニウムとアルミニウムの間の静止摩擦係数よりも小さいことを特徴とする請求項１乃至３のいずれか一項に記載のボトル。
【請求項５】
前記閉鎖キャップ（５）の外側面が塗料で塗装されており、人の皮膚とマット塗料との間の静止摩擦係数がアルミニウムと人の皮膚との間の静止摩擦係数よりも大きいことを特徴とする請求項１乃至４のいずれか一項に記載のボトル。
【請求項６】
前記閉鎖キャップ（５）が前記ボトル（１）の前記ネック（３）を収容するための開口部を除いて閉鎖して形成されており、前記閉鎖キャップ（５）の前記ジャケット面（７）が、前記ジャケット面（７）の前記ネジ（８）と前記カバー（６）との間に位置する部分内に、互いに離間したリブを備えたローレット（１６）を有しており、前記ローレットが少なくとも０．１ｍｍの深さを有していることを特徴とする請求項１乃至５のいずれか一項に記載のボトル。
【請求項７】
前記閉鎖キャップ（５）が引きちぎりリング（１２）を有し、該引きちぎりリングがウェブ（１９）を介して前記ネジ（８）を有するジャケット面（７）と結合されており、前記ボトル（１）の前記ネック（３）が、前記外ネジ（４）に連続し且つ当該ボトル（１）の外側に位置する、前記引きちぎりリング（１２）の部分のための第１の載置面（１３）を有しており、前記第１の載置面（１３）が、該第１の載置面（１３）に対して傾斜し且つ同様に当該ボトルの外側に位置する第２の載置面（１４）へ移行しており、該第２の載置面が、前記第１の載置面（１３）から当該ボトル（１）の底の方向に見て、当該ボトル（１）の長手中心平面（ｅ）の方向に傾斜しており、前記第１の載置面（１３）と、前記第２の載置面（１４）に接する接線平面（ｔ）の前記第１の載置面（１３）を向いた部分との間に形成される角度（α）が、最大で４５°であることを特徴とする請求項１乃至６のいずれか一項に記載のボトル。
【請求項８】
前記外ネジ（４）が１条ネジであって、該外ネジ（４）の深さの値が、０．５ｍｍを下限とし０．９ｍｍを上限とする値領域内にあり、且つ、前記外ネジ（４）の公称直径の値が、２５ｍｍを下限とし３０ｍｍを上限とする値領域内にあり、且つ、ネジの高さの値が、９ｍｍを下限とし１５ｍｍを上限とする値領域内にあって、前記外ネジのネジ山数が少なくとも２つ、特に２と３の間にある、ことを特徴とする請求項１乃至７のいずれか一項に記載のボトル。
【請求項９】
前記外ネジ（４）が丸ネジであって、ネジ側面の曲率半径の値が０．４ｍｍと０．８ｍｍとの間の値領域に基づいていることを特徴とする請求項１乃至８のいずれか一項に記載のボトル。
【請求項１０】
少なくとも前記外ネジ（４）が塗料で塗装されており、塗料とアルミニウムとの間の静止摩擦係数が、アルミニウムとアルミニウムとの間の静止摩擦係数よりも小さいことを特徴とする請求項１乃至９のいずれか一項に記載のボトル。
【請求項１１】
前記閉鎖キャップ（５）の前記カバー（６）がシール挿入片（１６）を有していることを特徴とする請求項１乃至１０のいずれか一項に記載のボトル。
【請求項１２】
前記シール挿入片（１６）がプラスチックから形成されていることを特徴とする請求項１１に記載のボトル。
【発明の詳細な説明】
【技術分野】
【０００１】
本発明は、軽金属からなるボトル本体を有するボトルに関するものであって、ボトルのネックが外ネジを有しており、ボトルは、ボトルの開口部を閉鎖するカバーとカバーに連続するジャケット面とを備えたスリーブ形状の閉鎖キャップを有しており、ジャケット面は、ボトルが閉鎖された状態においてネックの外ネジと対応するネジを有している。
【背景技術】
【０００２】
冒頭で挙げた種類のボトルは、しばしば飲料、特に炭酸を含んだ飲料用の使い捨てボトルとして使用される。質的に高価値の炭酸を含む飲料は、充填してボトルを閉鎖した後に、パスツール殺菌することができる。その場合に温度が高いことと飲料に含まれる炭酸に基づいて、ボトル内に、例えば５−６バールの極めて高い内圧がもたらされることがあり、それによって閉鎖キャップの領域内で意図せずに炭酸が抜ける結果となることがある。というのは、内圧が高いことによりボトルの閉鎖部の領域内でシールが不十分になり得るからである。しかし、炭酸含有量の減少は、望ましくない飲料の品質の低下となる。
【発明の概要】
【発明が解決しようとする課題】
【０００３】
したがって本発明の課題は、ボトルの内圧が極めて高い場合でも、ボトルの極めて良好な密閉を保証し、且つ炭酸が抜けるのを防止することである。
【課題を解決するための手段】
【０００４】
この課題は、冒頭で挙げた種類のボトルによって、本発明によれば、ボトルのネックの端縁がボトル本体の開口部の回りを一周する隆起部を形成する、ネックの折り返した部分によって形成されており、その場合に折り返した部分の自由端部がボトルの外側面又は内側面を向いており、折り返した部分が端縁の閉鎖キャップのカバーを向いた頂部の領域内で湾曲して形成されており、ボトルの端縁が略Ｏ字の形状の横断面を有していることによって、解決される。
【０００５】
本発明に係る解決手段は、端縁が溝に最適且つ密に当接することを保証するので、パスツール殺菌の場合に発生するように、ボトルの内圧が高い場合でも、閉鎖の高い密閉性が与えられる。
【０００６】
端縁の横断面がＯ字形状であることに基づいて、折り返された部分はほぼ閉鎖されている。すなわち折り返した部分の自由端部はボトルの外側面に当接するか、あるいは折り返した部分の自由端部とボトルの外側面との間の間隙は極めて小さく、０．５ｍｍを越えない。
【０００７】
特に好ましくは、閉鎖キャップは軽金属から形成されたベース本体を有している。この実施形態は、特に、閉鎖キャップのネジが、圧延工程によってボトルのネックの外ネジを閉鎖キャップの材料内へ刻印する１つ又は複数のローラによって形成されることを、特徴としている。
【０００８】
重量が小さいことに加えて、極めて薄い肉厚も可能にする、本発明の好ましい変形例によれば、ボトル本体及び／又は閉鎖キャップのベース本体は、アルミニウム又はアルミニウム合金から形成することができる。
【０００９】
ボトルの本体は、ボトルのネックと底との間の領域内で、０．５ｍｍ以下の肉厚を有することができる。
【００１０】
ボトルを簡単に開けることができるようにするために、閉鎖キャップのジャケット面の内側を塗料で塗装することができ、その場合に塗料とアルミニウムとの間の静止摩擦係数は、アルミニウムとアルミニウムとの間の静止摩擦係数よりも小さい。上で挙げた塗料は、例えば少なくとも１−２重量割合のワックス及び／又は他の摩擦を減少させる添加物、例えばグラファイト粒子、を有することができる。
【００１１】
開放プロセスは、閉鎖キャップの外側面を塗料で塗装することによって、さらに簡単になり、その場合に人の皮膚とマット塗料との間の静止摩擦係数は、アルミニウムと人の皮膚との間の静止摩擦係数よりも大きい。閉鎖キャップの外側面を塗装するために使用される塗料は、摩擦を高める添加物、例えばゴム粒子、を有することができる。
【００１２】
閉鎖キャップがボトルのネックを収容するための開口部を除いて閉鎖して形成されていると、特に好ましいことが明らかにされており、その場合に閉鎖キャップのジャケット面はジャケット面のネジとカバーとの間に位置する部分の領域内に、互いに離間したリブを備えたローレットを有しており、その場合にローレットが少なくとも０．１ｍｍの深さを有している。ローレットの深さに基づいて、ボトルの開放が著しく容易になる。
【００１３】
本発明の極めて好ましい変形例においては、閉鎖キャップが引きちぎりリング（tear-off ring）を有しており、その引きちぎりリングがウェブを介してネジを有するジャケット面と結合されており、ボトルのネックが、外ネジに連続し、且つボトルの外側に位置する、引きちぎりリングの部分のための第１の載置面を有しており、その場合に第１の載置面が第１の載置面に対して傾斜し、且つ同様にボトルの外側に位置する第２の載置面へ移行しており、その場合に第２の載置面がボトルの底の方向に見て第１の載置面からボトルの長手中心平面の方向に傾斜しており、その場合に第１の載置面と第２の載置面に接する接線平面の第１の載置面を向いた部分との間に形成される角度は、最大で４５°である。
【００１４】
引きちぎりリングの領域内の少なくとも４５°の角度によって、ボトルの機械的な強度が従来のボトルに比較してずっと高くなるので、ボトルは、パスツール殺菌する際にボトルの内部に生じる高い圧力によっても、損なわれない。
【００１５】
密閉性の高い閉鎖と同時にボトルを簡単に開放することは、外ネジが１条ネジであって、外ネジの深さの値が０．５ｍｍの下限と０．９ｍｍの上限を有する値領域内にあり、外ネジの公称直径の値が、２５ｍｍの下限と３０ｍｍの上限を有する値領域内にあり、ネジの高さの値が９ｍｍの下限と１５ｍｍの上限を有する値領域内にあって、その場合に外ネジのネジ山の数が少なくとも２つ、特に２と３の間にあることによって、得られる。ネジの深さが大きいことによって、ボトルの良好な密閉性が保証され、その推移が比較的平坦であることによりわずかな力を加えるだけで閉鎖キャップのネジりが実現される。
【００１６】
閉鎖キャップをネジるために加える力が小さいことは、外ネジが丸ネジであって、その場合にネジ側面の曲率半径のための値が０．４と０．８ｍｍの間の値領域に基づくことによって、得られる。
【００１７】
ボトルを開けるために必要とされる力の消費は、少なくとも外ネジが塗料で塗装されることによって、さらに減少され、その場合に塗料とアルミニウムとの間の静止摩擦係数はアルミニウムとアルミニウムとの間の静止摩擦係数よりも小さい。
【００１８】
好ましい実施形態によれば、閉鎖キャップのカバーはシール挿入片を有することができる。好ましくはプラスチックから形成されて、例えば閉鎖キャップ内へ射出形成することができる、シール挿入片によって、ボトルの密閉性がさらに高められる。
【００１９】
本発明を理解しやすくするために、以下の図を用いて本発明を詳細に説明する。図は、著しく簡略化して図式的に示すものである。
【図面の簡単な説明】
【００２０】
【図１】本発明に係るボトルを閉鎖キャップを取り外して示す断面図である。
【図２】図１に基づくボトルのための閉鎖キャップを示す斜視図である。
【図３】閉鎖キャップを素の状態で示す斜視図である。
【図４】図１に基づくボトルのネックの輪郭をより詳細に示すものである。
【発明を実施するための形態】
【００２１】
最初に記録しておくが、異なるように記載される実施形態において、同一の部分には同一の参照符号ないし同一の構成部分名称が設けられており、その場合に説明全体に含まれる開示は、意味に従って同一の参照符号ないし同一の構成部分名称を有する同一の部分へ移し替えることができる。また、説明内で選択される、例えば上、下、側方などのような位置記載は、直接説明され、且つ示される図に関するものであって、これらの位置記載は位置が変化した場合には意味に従って新しい位置へ移し替えられる。
【００２２】
具体的な説明内の値領域についてのすべての記載は、その任意の部分領域とすべての部分領域を共に含むものであって、例えば記載１から１０は、下限の１と上限の１０から始まるすべての部分領域、すなわち下限の１またはそれ以上で始まり、上限の１０またはそれ以下で終了する、例えば１から１．７、または３．２から８．１、あるいは５．５から１０のすべての部分領域、を一緒に含んでいるものとする。
【００２３】
ここで指摘しておくが、以下において図は包括的に記述されている。
【００２４】
図１によれば、本発明に係るボトル１は、軽金属、特にアルミニウムあるいはアルミニウム合金からなる、ボトル本体２を有している。ボトル本体２は、その外側及び／又は内側すべてに、あるいは部分的にコーティングすること、例えば塗装することができる。ボトル本体２はネック３を有しており、そのネックには外ネジ４が刻まれている。
【００２５】
外ネジ４は、好ましくは１条のネジである。その場合に外ネジ４の深さは、好ましくは０．５ｍｍと０．９ｍｍの間にある。外ネジの公称直径は、例えば２５ｍｍと３０ｍｍの間とすることができる。図示される実施形態によれば、ネジは９ｍｍと１５ｍｍの間の範囲の高さを有することができる。外ネジ４のネジ山の数は、少なくとも２つ、特に２と３の間にある。特に好ましくは、外ネジ４のネジ山の数は２．２−２．５の領域に基づいている。外ネジ４は、丸ネジとして形成することができ、その場合にネジ側面の曲率半径は、好ましくは０．４ｍｍと０．８ｍｍの間にある。
【００２６】
外ネジ４は、摩擦を減少させる塗料でコーティングすることができ、その場合に塗料とアルミニウムとの間の静止摩擦係数は、アルミニウムとアルミニウムとの間の静止摩擦係数よりも小さい。
【００２７】
ボトル１は、同様に、図２と図３に詳細に示すスリーブ形状の閉鎖キャップ５を有している。閉鎖キャップ５は、カバー６とジャケット面７とを有しており、そのジャケット面内に外ネジ４と対応するネジ８が刻印されているので、閉鎖キャップ５は回すことによってネック３から外すことができ、且つ回すことによって再び閉鎖することができる。図３は、閉鎖キャップ５を素の状態で示している。図３に示す閉鎖キャップ５は、ボトル１を閉鎖するためにボトル１の充填後にそれにかぶせられ、その場合にジャケット面７がボトルのネック３の外ネジ４上に位置する。それに続いてここには図示されていない工具により、例えばローラによって、それ自体知られているようにして外ネジ４の輪郭がジャケット面７内へ刻印される。それによって閉鎖キャップ５がボトル１と結合される。それに続いてボトル１は、閉鎖キャップ５を回すことによって再び閉鎖可能に開けることができる。
【００２８】
摩擦を減少させるために、閉鎖キャップ５のジャケット面７の内側に塗料を塗ることができ、その場合に塗料とアルミニウムとの間の静止摩擦係数は、アルミニウムとアルミニウムとの間の静止摩擦係数よりも小さい。
【００２９】
もちろん閉鎖キャップ５の内側も、外ネジ４も塗装することができる。この場合においては、２つの塗料の間の静止摩擦係数が、アルミニウムとアルミニウムとの間の静止摩擦係数よりも小さいと、効果的である。
【００３０】
取扱いを改良し、且つボトル１を開けやすくするために、閉鎖キャップ５の外側面にも塗料を塗ることができ、その場合に人の皮膚とマット塗料との間の静止摩擦係数は、アルミニウムと人の皮膚との間の静止摩擦係数よりも大きい。閉鎖キャップ５の外側面用の塗料として、いわゆる「ソフトタッチ塗料（Soft-Touch-Lack）」を使用することができる。
【００３１】
ここで指摘しておくが、アルミニウムとアルミニウムとの間の静止摩擦係数に関する、この文書における静止摩擦係数のデータは、ボトル１あるいは閉鎖キャップ５のための材料として他の軽金属が使用されるか、に関係なく、量的な値の意味における一般的な基準である。言い換えると、これに関連してアルミニウムとアルミニウムとの間の静止摩擦係数は、１．０５の値を意味している。
【００３２】
閉鎖キャップ５は、ボトル１のネック３を収容するための開口部を除いて閉鎖して形成することができる。ジャケット面７のネジ８とカバー６との間に位置する部分内に、互いに離間したリブを包囲するローレット１６を配置することができる。ローレット１６は、少なくとも０．１ｍｍの深さを有している。
【００３３】
図３から明らかなように、カバー６は、Ｕ字状の横断面を備えた溝１８を有することができる。溝１８は、それ自体閉成されたカーブに沿って、特に円に沿って、一周し、且つ例えばシール挿入片１６内に設けることができ、そのシール挿入片はプラスチックから形成されて、例えば閉鎖キャップ５内へ射出形成することができる。しかし溝１８は、必ずしも必要ではないので、例えば溝１８を省き、シール挿入片１６をまったく溝１８なしで形成することもできる。
【００３４】
ボトル１のネック３の端縁９は、ネック３の折り返した部分１０によって形成されており、その部分は、ボトル本体２の開口部の回りを一周する隆起部の形状を有している。図１の表示から明らかなように、ボトル１の端縁９は略Ｏ字形状の横断面を有することができる。折り返した部分１０の自由端縁は、ボトル１の外側面の方向を向いている。しかし原則的には、端縁９を内側へ折り返すことも可能である。この場合において、折り返した部分１０の自由端部はボトル１の内側表面を向くことになる。端縁９は、カバー６へ向いた頂部１１の領域内で湾曲して形成されている。
【００３５】
図３から明らかなように、閉鎖キャップ５は引きちぎりリング１２を有することができ、その引きちぎりリングはウェブ１９を介してジャケット面７と結合されている。同時にボトル１のネック３は、図１と４に示すように、外ネジ４に連続し、且つボトル１の外側に位置する、引きちぎりリング１２の部分のための第１の載置面１３を有することができる。その場合に第１の載置面１２は、同様にボトル１の外側に配置されている第２の載置面１４へ移行している。第２の載置面１４は、第１の載置面１３に対して傾斜している。第１の載置面１３の方向から見て、第２の載置面１４はボトル１の長手中心平面ｅの方向へ傾斜している。図４から明らかなように、第１の載置面１３と、第２の載置面１４に接する接線平面ｔの第１の載置面１３へ向いた部分との間に形成される角度αは、最大で４５°である。
【００３６】
最後に形式的に指摘しておくが、本発明に係るボトルの構造を理解しやすくするために、ボトルもしくはその構成要素は部分的に縮尺通りでなく、及び／又は拡大及び／又は縮小して示されている。
【符号の説明】
【００３７】
１    ボトル
２    ボトル本体
３    ネック
４    外ネジ
５    閉鎖キャップ
６    カバー
７    ジャケット面
８    ネジ
９    端縁
１０    部分
１１    頂部
１２    引きちぎりリング
１３    載置面
１４    載置面
１５    シール挿入片
１６    ローレット
１７    ウェブ
１８    溝
ｅ    長手中心平面
ｔ    接線平面
α    角度
【図１】
2016196331.tif 000003
【図２】
2016196331.tif 000004
【図３】
2016196331.tif 000005
【図４】
2016196331.tif 000006